(57)【特許請求の範囲】
【請求項１】
容器本体内に化粧料収納用の中皿が中枠を介して係脱自在に組付け可能とされているコンパクトにおいて、
前記中皿の外周に係合部を設け、前記中枠の中皿収納部の一方の側壁に、前記係合部に係合する第一係止部を設け、該第一係止部に対向する中皿収納部の他方の側壁に、自由端を有しかつ内外方向に撓んで前記中枠に対して中皿を前記一方の側壁に向かって押圧する第一弾性片を形成し、容器本体側壁内面側に張り出しかつ先端部が容器本体側壁内面に押圧接当されて前記一方の側壁に向けて弾性変形し、その復元力で容器本体に対して該第一弾性片の自由端を前記一方の側壁に向かって押圧する第二弾性片を設け、前記内外方向に撓んで中皿を中枠に対して押圧する第一弾性片を、第二弾性片が容器本体に対して前記一方の側壁に向って押圧していることを特徴とするコンパクト。
【請求項２】
前記第一弾性片の内側面に、前記中皿の係合部に係合する第二係止部を設けたことを特徴とする請求項１に記載のコンパクト。
【請求項３】
前記第一弾性片の基端部を中枠側壁厚よりも薄くして撓み易くしたことを特徴とする請求項１又は２に記載のコンパクト。
【請求項４】
前記第二弾性片の先端に、容器本体側で第二弾性片と逆向きに延びる第三弾性片を設けたことを特徴とする請求項１，２又は３に記載のコンパクト。
【請求項５】
前記容器本体の内側面に、前記中枠の第一弾性片が対向する位置に、弾性片収容凹部を設け、第二又は第三弾性片が前記収容凹部壁面に当接するようにしたことを特徴とする請求項１〜４のいずれかに記載のコンパクト。
【発明の詳細な説明】
【０００１】
【発明の属する技術分野】
本発明は、容器本体内に化粧料収納用の中皿を中枠を介して着脱自在に組付け可能としたコンパクトに関するものである。
【０００２】
【従来の技術】
従来、この種コンパクトとしては、例えば特開平８−１９６３３７号公報に開示されたものがある。このコンパクトは、合成樹脂製で、容器本体と容器本体の上端開口を塞ぐ蓋体とが後端側で開閉自在にヒンジ結合され、容器本体と蓋体とが前端部で相互に係合されており、容器本体内に化粧料収納用の中皿が、係止保持手段を備えた中枠を介して着脱自在に組付け可能とされている。
そして、前記中皿には、その外周面に係止周溝が設けられ、中枠には、長手方向中央部に設けた隔壁により中皿収納部が隔成され、該中皿収納部の隔壁側面に前記係止周溝に嵌入係合する第一係止部が設けられ、該第一係止部に対向する側壁に押圧保持のための弾力を発生する弾片が設けられると共に、側壁両端角隅部に第二係止片を有する弾性舌片が設けられており、該第二係止片が中皿外周角部に設けた抜け止め用の係止凹部に嵌入係止されるようになっている。
【０００３】
【発明が解決しようとする課題】
ところで、上記従来技術では、中皿を中枠の中皿収納部に組付ける際又は取出す際、前記弾片を撓ませるが、該弾片の撓み量が少ないと着脱操作性が悪く、逆に弾片の撓み量を多くすると、中皿の保持力が低下し、弾片の保持力を確保すべく厚さを増大させると弾片に「す」（白化現象）が入り、弾片が破損し易くなるという問題があった。
本発明は、上記問題点に鑑み、中皿を押圧保持する弾性片の撓み量を、押圧保持力を低下させることなく増大させると共に中皿を確実強固に保持させることができ、中皿の着脱操作が容易で、しかも、使用中における破損を防止しうるコンパクトを提供するにある。
【０００４】
【課題を解決するための手段】
本発明では、上記課題を解決するために、次の技術的手段を講じた。
即ち、容器本体内に化粧料収納用の中皿が中枠を介して係脱自在に組付け可能とされているコンパクトにおいて、
前記中皿の外周に係合部を設け、前記中枠の中皿収納部の一方の側壁に、前記係合部に係合する第一係止部を設け、該第一係止部に対向する中皿収納部の他方の側壁に、自由端を有しかつ内外方向に撓んで前記中枠に対して中皿を前記一方の側壁に向かって押圧する第一弾性片を形成し、容器本体側壁内面側に張り出しかつ先端部が容器本体側壁内面に押圧接当されて前記一方の側壁に向けて弾性変形し、その復元力で容器本体に対して該第一弾性片の自由端を前記一方の側壁に向かって押圧する第二弾性片を設け、前記内外方向に撓んで中皿を中枠に対して押圧する第一弾性片を、第二弾性片が容器本体に対して前記一方の側壁に向って押圧している点に特徴がある。
【０００５】
この場合、前記中皿を中枠の前記収納部に組付けるときに、中皿の一辺を第一弾性片に押し当ててこれを撓ませることにより、容器本体内壁に支持された第二弾性片も共に撓んで撓み量が多くなり、中皿を前記収納部に容易に挿入でき、中皿係合部を第一係止部に容易にかつ円滑に係合させることができる。そして、中皿は、容器本体内壁に支持された第一、第二両弾性片の弾力により隔壁側に強固に押圧され保持されるので、中皿が緩んでガタつきを生じることはない。しかも、第一、第二弾性片の破損防止を図ることができる。
【０００６】
また、本発明は、前記第一弾性片の内側面に、前記中皿の係合部に係合する第二係止部を設けたものとすることができる。この場合、第二係止部をその外側から中皿の係合部に第一、第二弾性片の弾力により押圧するので、中皿の係止保持を強固にすることができる。
そして、本発明は、前記第一弾性片の基端部を中枠側壁厚よりも薄くして撓み易くしたものとすることができ、これにより十分な撓み量を確保できると共に、中皿の着脱操作を容易にかつ円滑に行なうことができる。
【０００７】
さらに、本発明は、前記第二弾性片の先端に、容器本体側で第二弾性片と逆向きに延びる第三弾性片を設けたものとすることができる。この場合、各弾性片が夫々内外方向に変形（三段変形）して、撓み量を十分に確保できると共に、中皿の押圧保持力を増大させ、強固に中皿を保持させることができる。
また、本発明は、前記容器本体の内側面に、前記中枠の第一弾性片が対向する位置に、弾性片収容凹部を設け、第二又は第三弾性片が前記収容凹部壁面に当接するよう構成したものとすることができる。この場合、前記収容凹部内に第二、第三弾性片をを完全に収容することにより、弾性片の変位量即ち撓み量を十分に確保でき、しかも、容器本体の中枠収納容積を必要最小限にして大形化を防止でき、体裁を良くすることができる。
【０００８】
【発明の実施の形態】
以下、本発明の実施の形態を図面に基づいて説明する。
図１〜図５は、本発明に係るコンパクト１の第一の実施形態を示している。
このコンパクト１は、合成樹脂製で、容器本体２と、該容器本体２の上端開口を塞ぐ蓋体３と、容器本体２の後端部と蓋体３を開閉自在にヒンジ結合する枢支軸（図示省略）と、容器本体２内に嵌合される中枠４と、該中枠４内に係脱自在に組付け可能とされた化粧料収納用の中皿５と、蓋体３を容器本体２の前端部に係合する係合手段６とにより主構成されている。なお、コンパクト１には、図示していないが、蓋体３の係合解除操作部材及び蓋材３の閉塞時に蓋体３を開方向に付勢する弾性部材が組込まれている。
【０００９】
前記容器本体２は、合成樹脂により底７と前壁８と後壁９と左右側壁１０，１１とを有する上端が開口した浅い長方箱形に成形されている。容器本体２の後壁９には、中央部にヒンジ結合部１２が内側に突出するように設けられている。そして、容器本体２の前壁８には、中央部に前記係合手段６を構成する係合部６Ａの取付凹部１３が設けられている。また、容器本体２の左側壁１０の内面には、弾性片収容凹部１４が設けられている。
前記蓋体３は、合成樹脂により成形され、その後端部に容器本体２のヒンジ結合部１２に嵌合するヒンジ部３Ａが突出状に設けられ、該ヒンジ部３Ａがヒンジ結合部１２の左右両側壁１２Ａ，１２Ｂに、図外の枢支軸により該軸回りに開閉自在となるようにヒンジ結合されている。また、蓋体３の前端部には、図示していないが、左右方向中央部に、前記係合手段６を構成する爪片が下向きに突設され、前記係合部６Ａに係合するようになっている。
【００１０】
前記中枠４は、合成樹脂により底なしの略長方枠形に成形され、上端に外向きの鍔４Ａを有し、左右方向（長手方向）中央部に前後方向の隔壁（中皿収納部の一方の側壁）１５を設けて、左右２つの収納部が隔成され、その一方（左側）が化粧料収納用の中皿収納部１６とされ、他方（右側）がパフ収納部１７とされている。
そして、中枠４の隔壁１５には、前後方向中央部に、上方が開く中皿取出し操作用の切欠部１８が設けられ、前記中皿５の取外し時に、この部分で中皿５を手で持ち易く、かつ操作がし易いようにしてある。また、中枠４の前記隔壁１５には、その中皿収納部１６側上端に位置して、中皿収納部１６側に突出しかつ前後方向に延びしかも下端面と平行な突条からなる第一係止部１９が設けられている（図２、図３参照）。さらに、第一係止部１９の上端面には、中皿収納部１６側に傾斜する傾斜面１９Ａが形成され、中皿５の挿入時に、中皿５を前記収納部１６の左側壁１６Ａ（隔壁１５の対向壁）側に移動させるようになっている。
【００１１】
前記中枠４の左側壁１６Ａには、前後方向中央部側から夫々前又は後方に鍔４Ａと平行に延び各角隅部の手前から下方に延びて下端に開く内又は外側からみてカギ形（Ｌ形）のスリット２０が対称に設けられ（図１参照）、前又は後方に自由端２１Ａを有しかつ内外方向に撓む２つの第一弾性片２１，２１が形成されている。
そして、該第一弾性片２１の自由端２１Ａに、容器本体２の左側壁１０側に張出しかつ左側壁１０中央方向に延びてその先端部２２Ａが前記収納凹部１４内面に当接する第二弾性片２２が夫々設けられており、第一及び第二弾性片２１，２２の弾力により、中皿５を前記隔壁１５に向って押圧し保持するようになっている。
【００１２】
また、第一、第二弾性片２１，２２の下端面は、中枠４下端面から若干上方に位置せられ、容器本体２の底７内面に当接しないようにして、内外方向への撓み動作が阻害されないようになっている。
さらに、前記第一弾性片２１の内側面には、第二係止部２３が夫々突設されている。この第二係止部２３の突出量は、中皿収納状態において、中枠側壁１６Ａと中皿５との間に、中皿取出し時の押し代分の間隙Ｓが確保され、かつ中皿５を常時若干押圧し保持するのに必要な弾力を発生させうる量とされている。
【００１３】
前記中枠４の鍔４Ａには、容器本体２の前記ヒンジ結合部１２及び係合部取付凹部１３に対応して切欠部２４，２５が設けられ、該切欠部２４，２５の夫々左右両側に位置して中枠４の前後壁外面に、嵌合突片２６，２７が設けられており、該突片２６，２７が図２に示すように、容器本体２の前記ヒンジ結合部１２の左右両側壁１２Ａ，１２Ｂ内面及び取付凹部１３の左右両側壁１３Ａ，１３Ｂ内面に当接するようになっている。
前記中皿５は、合成樹脂により浅形の略方形皿状に成形され、外周面下部に周溝からなる係合部２８が設けられ、該係合部２８に中枠４の第一係止部１９及び第二係止部２３が嵌入係合されるようになっている。
【００１４】
また、中皿５の下端全周角部は、面取りされてテーパー２９がつけられ、中枠４の中皿収納部１６内への挿入時に、前記第一係止部１９の傾斜面１９Ａが前記テーパー２９を案内して、中皿５を前記収納部１６の左側壁１６Ａ側に移動させ、前記テーパー２９が第二係止部２３を外方へ押し、第一弾性片２１を外方へ第二弾性片２２を内方へ撓ませ易くすると共に、中皿５の挿入が容易にかつ円滑に行ないうるようになっている。
上記第一実施形態において、容器本体２に中枠４を前記第二弾性片２２の先端２２Ａが弾性片収容凹部１４内面に当接するように嵌合させた後、中皿５を組付ける場合、中皿５を中枠４の中皿収納部１６内に上方から落とし込むように挿入して、中皿５を若干強く押し込むことにより、中皿５はそのテーパー２９が中枠４の第一係止部１９の上端傾斜面１９Ａに案内されて前記側壁１６Ａ側に若干移動し、中枠４の第二係止片２３をテーパー２９が押動するので、第一弾性片２１及び第二弾性片２２が撓む。中皿５が前記収納部１６内に完全に挿入されると、第一、第二弾性片２１，２２がその弾力により中皿５を前記隔壁１５側に向って復元するので、第二係止部２３が中皿５の係合部２８に嵌入係合すると同時に、中皿５を隔壁１５側に押動し、第一係止部１９が中皿５の前記係合部２８に嵌入係合することで、中皿５の組付けが完了する。
【００１５】
このようにして、中皿５はその係合部２８に係合した第一、第二係止部１９，２３を介して中枠４に係止され、かつ第一、第二弾性片２１，２２の弾力により押圧保持される。
そこで、中皿５を中枠４の前記収納部１６から取り出す場合は、まず、中枠４の隔壁１５に設けた切欠部１８部分で中皿５を指により中皿収納部左側壁１６Ａ側に押すことにより、図４、図５に示すように、第一弾性片２１と第二弾性片２２が夫々撓むと同時に、第一係止部１９が中皿５の係合部２８から抜け出すので、そのまま中皿５を上方に押し上げたあと、隔壁１５側に引くことで、中皿５を中枠４の前記収納部１６から容易に取り出すことができる。
【００１６】
上記第一実施形態によれば、中皿５を押圧保持する押圧手段が、第一弾性片２１とこれに設けた第二弾性片２２により構成され、撓み個所が複数形成されているので、必要にしてかつ十分な撓み量を確保でき、撓み易いので中皿５の着脱操作が至極容易であり、しかも、第二弾性片２２の先端部２２Ａが容器本体２の弾性片収容凹部１４内側面に当接しているので、十分な弾力を生じさせて中皿５を強固に押圧保持することができる。したがって、従来のように、撓み量を多くすると係止が緩るくなったり、係止を強固にすべく弾性部を厚肉にして破損するなどの問題を解消できる。
【００１７】
しかも、第一弾性片２１の内側に第二係止部２３を設けているので、第二係止部２３を介して中皿５の係合部２８を押圧でき、係合が確実であり、中皿５を強固に係止保持することができ、中皿５のガタつきを防止できる。
さらに、容器本体２の左側壁１０内面に、弾性片収容凹部１４を設けているので、第二弾性片２２を完全に収容でき、第二弾性片２２の変位量即ち撓み量を十分に確保でき、しかも、容器本体２の中枠収納容積を必要最少限にして大形化を防止でき、体裁を良くすることができる。
【００１８】
図６は、本発明の第二実施形態の要部（中枠４の部分断面）を示し、第一実施形態と異なるところは、第一弾性片２１の基端部２１Ｂを、中枠側壁１６Ａの厚さよりも薄肉にして、第一弾性片２１が撓み易くなるようにした点であり、第一実施形態と略同等の作用効果を奏する。したがって、図２で付した符号を付し、詳細説明は省略する。
図７は、本発明の第三実施形態の要部（中枠４の部分断面）を示し、第一実施形態と異なるところは、第二弾性片２２の先端２２Ａに、容器本体２側で第二弾性片２２と逆向きに延びる第三弾性片３０を設けた点であり、各弾性片２１，２２，３０が夫々内外方向に変形（三段変形）するので、撓み量を十分に確保できると共に、中皿５の押圧保持力を増大させ、強固に中皿５を保持させることができる。
【００１９】
なお、第三実施形態においても、第一実施形態と略同じ作用効果を奏する。したがって、図２で付した符号を付し、詳細説明は省略する。
図８は、本発明の第四実施形態の要部（中枠４の部分断面）を付し、第一実施形態と異なるところは、中皿収納部側壁１６Ａにその前後方向中央部に位置して、内外方向からみてＴ字状（又はエ字状）のスリット３１を設け、自由端２１Ａが対向するように第一弾性片２１，２１を対称状に設けた点であり、第一実施形態と同等の作用効果を奏する。したがって、図２で付した符号を付し、詳細説明は省略する。
【００２０】
なお、第一乃至第四実施形態において、第一弾性片２１を形成するスリット２０，２０は、内又は外方からみてコ字状のスリットとして、中枠４の下端縁を開放しない構成とすることができる。また、第一弾性片２１を、その自由端２１Ａが下向きになるように、平行でかつ上下方向に延びる複数のスリットにより形成することができる。
本発明は、上記実施形態に限定されるものではなく、コンパクト１を前後方向に長くして、前後方向中央部に左右方向に延びる隔壁を設けた構成とすることができる。
【００２１】
【発明の効果】
本発明によれば、コンパクトの容器本体に嵌合された中枠内に係脱自在に組付けられる中皿が、中枠の隔壁で隔成される中皿収納部の隔壁に対向する側壁に設けられる第一弾性片及びこれに設けた第二弾性片の弾力により、隔壁側に押圧保持されるように構成されているので、弾性片の撓み量を押圧保持力を低下させることなく増大させ、かつ中皿を確実強固に保持させることができ、中皿の着脱操作を容易かつ円滑に行なうことができる。しかも、使用中における弾性片の破損を防止して耐久性の向上を図ることができる。
【図面の簡単な説明】
【図１】  本発明の第一実施形態を示す分解斜視図である。
【図２】  同第一実施形態の一部省略横断平面（図３のＢ−Ｂ断面相当）図である。
【図３】  図２のＡ−Ａ線断面図である。
【図４】  同第一実施形態における中皿と第一係止部との係合解除状態を示す一部省略横断平面（図５のＤ−Ｄ線断面相当）図である。
【図５】  図４のＣ−Ｃ線断面図である。
【図６】  本発明の第二実施形態の要部（中枠の一部分）を示す横断面図である。
【図７】  本発明の第三実施形態の要部（中枠の一部分）を示す横断面図である。
【図８】  本発明の第四実施形態の要部（中枠の一部分）を示す横断面図である。
【符号の説明】
１    コンパクト
２    容器本体
３    蓋体
３Ａ  ヒンジ部
４    中枠
５    中皿
１２    ヒンジ結合部
１４    弾性片収容凹部
１５    隔壁（中皿収納部の一方の側壁）
１６    中皿収納部
１６Ａ  左側壁
１９    第一係止部
２１    第一弾性片
２１Ａ  自由端
２１Ｂ  基端部
２２    第二弾性片
２２Ａ  先端部
２３    第二係止部
２８    係合部
３０    第三弾性片
【図１】
0003857801.tif 000002
【図２】
0003857801.tif 000003
【図３】
0003857801.tif 000004
【図４】
0003857801.tif 000005
【図５】
0003857801.tif 000006
【図６】
0003857801.tif 000007
【図７】
0003857801.tif 000008
【図８】
0003857801.tif 000009